(57)【要約】      （修正有）【課題】傾斜面の作業に伴って必要となる荷物の運搬を傾斜面において安全に行うことができるようにする。【解決手段】荷物積載用傾斜面昇降台車Ａは、傾斜面１を昇降手段により昇降自在となされた左右前後輪付き車体２と、車体２の上側に配置させられ、かつ車体２の前端部に上下方向揺動自在に取付けられた積載台３と、車体２および積載台３間で両者の取付け位置後方に配置させられ、車体１に対する積載台３の角度を変える揺動装置としての流体圧シリンダー４と、積載台３下面の左右両側部それぞれに所定間隔をおいて設けられているスタッド状ワイヤロープ端部掛け止め用金具５とを備えている。【選択図】図５
0003136897.tif 000002
【実用新案登録請求の範囲】
【請求項１】
傾斜面を昇降手段により昇降自在となされた車輪付き車体と、車体の上側に配置せられかつ車体の前端部に上下方向揺動自在に取付けられた積載台と、車体および積載台間で両者の取付け位置後方に配置せられ、車体に対する積載台の角度を変える揺動装置と、積載台下面の左右両側部それぞれに所定間隔をおいて設けられているワイヤロープ端部掛け止め用金具とを備えた荷物積載用傾斜面昇降台車。
【請求項２】
さらに、積載台の前縁に固定された前柵、積載台の左右両縁および後縁それぞれに着脱自在に取付けられた左右側柵および後柵を備えている請求項１記載の荷物積載用傾斜面昇降台車。
【請求項３】
左右側柵および後柵を積載台に着脱自在に取付けるため、積載台の外縁に柵の各脚を落とし嵌める平面視Ｕ形の受け金具が、基端両側に設けられた耳部により固定されている請求項２記載の荷物積載用傾斜面昇降台車。
【請求項４】
各柵に金網が張られている請求項２または３記載の荷物積載用傾斜面昇降台車。
【考案の詳細な説明】
【技術分野】
【０００１】
本考案は、荷物積載用傾斜面昇降台車に関する。
【背景技術】
【０００２】
従来、傾斜面を昇降手段により昇降自在となされた車体と、車体の上側に配置せられかつ車体の前端部に上下方向揺動自在に取付けられたベース板と、車体およびベース板間で両者の取付け位置後方に配置せられ、車体に対するベース板の角度を変える揺動装置と、ベース板上に一体的に設けられかつ作業アタッチメント付き駆動アームおよび運転席を有する作業台を備えた法面等の加工機械が、下記特許文献１および特許文献２に開示せられている。
【特許文献１】特開平５−１１８０５３号公報
【特許文献２】特開平６−１７３２８９号公報
【考案の開示】
【考案が解決しようとする課題】
【０００３】
しかしながら、法面すなわち傾斜面で作業を行う場合、型枠、鉄筋、レディミックスドコンクリート、木材等の資材、資材加工器具を傾斜面の所定位置に運び上げたり、さらには傾斜面で伐採した草木を運び下ろしたりする必要がある。
【０００４】
本考案の目的は、傾斜面の作業に伴って必要となる荷物の運搬を傾斜面において安全に行うことのできる荷物積載用傾斜面昇降台車を提供することにある。
【課題を解決するための手段】
【０００５】
請求項１の考案による荷物積載用傾斜面昇降台車は、傾斜面を昇降手段により昇降自在となされた車輪付き車体と、車体の上側に配置せられかつ車体の前端部に上下方向揺動自在に取付けられた積載台と、車体および積載台間で両者の取付け位置後方に配置せられ、車体に対する積載台の角度を変える揺動装置と、積載台下面の左右両側部それぞれに所定間隔をおいて設けられているワイヤロープ端部掛け止め用金具とを備えたものである。
【０００６】
上記において、揺動装置の具体例としては、流体圧シリンダーおよびパンタグラフのリンクの１つに流体圧シリンダーを関与させたもの等を挙げることができる。
【０００７】
また、上記において、昇降手段としては、車体または積載台に設けられかつ傾斜面上部に所定間隔をおいて立てられた左右一対のピンおよび傾斜面上部に所定間隔をおいて存在する立ち木等の上向き突出部に直接掛け止められたワイヤロープまたは上向き突出部にそれぞれ滑車を具備せしめ、各滑車を巡らせて先端を車体に固定したワイヤロープを有する左右一対のウインチ、さらには、傾斜面の下部に所定間隔をおいて配置せられかつ上記各上向き突出部の滑車を巡らせて先端を車体に固定したワイヤロープを有する左右一対のウインチを挙げることができる。
【０００８】
請求項２の考案は、請求項１記載の荷物積載用傾斜面昇降台車において、さらに、積載台の前縁に固定された前柵、積載台の左右両縁および後縁それぞれに着脱自在に取付けられた左右側柵および後柵を備えているものである。
【０００９】
請求項３の考案は、請求項２記載の荷物積載用傾斜面昇降台車において、左右側柵および後柵を積載台に着脱自在に取付けるため、積載台の外縁に柵の各脚を落とし嵌める平面視Ｕ形の受け金具が、基端両側に設けられた耳部により固定されているものである。
【００１０】
請求項４の考案は、請求項２または３記載の荷物積載用傾斜面昇降台車において、各柵に金網が張られているものである。
【考案の効果】
【００１１】
本考案の荷物積載用傾斜面昇降台車によれば、傾斜面の作業に伴って必要となる荷物の運搬を傾斜面において安全に行うことができる。
【考案を実施するための最良の形態】
【００１２】
本考案を実施するための最良の形態を、以下図面を参照して説明する。
【実施形態１】
【００１３】
図１ないし図４に積載台下面の左右両側部それぞれに所定間隔をおいて設けられているワイヤロープ端部掛け止め用金具を備えた荷物積載用傾斜面昇降台車の実施形態を示す。同図に示す荷物積載用傾斜面昇降台車 (Ａ)は、傾斜面(１)を昇降手段により昇降自在となされた左右前後輪付き車体(２)と、車体(２)の上側に配置せられかつ車体(２)の前端部に上下方向揺動自在に取付けられた積載台(３)と、車体(２)および積載台(３)間で両者の取付け位置後方に配置せられ、車体(１)に対する積載台(３)の角度を変える揺動装置としての流体圧シリンダー(４)と、積載台(３)下面の左右両側部それぞれに所定間隔をおいて設けられているスタッド状ワイヤロープ端部掛け止め用金具 (５)とを備えている。上記流体圧シリンダー(４)には、油圧シリンダーが用いられている。
【００１４】
昇降手段としては、積載台(３)の下面に設けられかつ傾斜面(１)上部に所定間隔をおいて立てられた左右一対の上端にフックを有するピン(６)に直接掛け止められ、車体(２)に取付けられている滑車(７)を巡らせられたワイヤロープ(８)を有する左右一対のウインチ(９)が用いられている。積載台(３)を車体(２)の前端部に上下方向揺動自在に取付けるには、車体(２)の上面前端部に二股板状立ち上がり部(１０)を設けるとともに、積載台(３) の下面前端部に二股板状立ち上がり部(１０)上端部に下端部がはまり込む板状垂下部(１１)を設け、両者を枢軸(１２)で連結することにより果たされる。流体圧シリンダー(４)のシリンダー(１３) の下端部が車体(２)側に、同ロッド(１４)の上端部が積載台(３)側にそれぞれ枢着されている。積載台(３)は図２および図３に示されているように、横断面中空方形の桟で格子状に組まれた基体(３ａ)に上板(３ｂ)が固着せられたものである。
【００１５】
傾斜面(１)での作業前後において、傾斜面(１)に荷物を上げ降ろしする必要がある。この場合は、図１に示すように、荷物積載用傾斜面昇降台車 (Ａ)を平地(１５)に停止し、積載台(３)を水平にし、積載台(３)に荷物(１６)を適当に積みあげ、積載台(３)の下面左右両側部にある掛け止め用金具(５)にワイヤロープ(１７)の端部を掛け止めて、ワイヤロープ(１７)により荷物(１６)を固定する。その後、荷物積載用傾斜面昇降台車 (Ａ)を傾斜面(１)に移動し、流体圧シリンダー(４)を操作して傾斜面(１)の斜度に対応させ、積載台(３)を水平にするのである。荷物(１６)を積載台(３)から下ろす場合は、この逆の操作をすればよい。荷物(１６)の積載台(３)に対する積み下ろしは、必ずしも平地(１５)で行う必要はなく、平地(１５)に近い傾斜面(１)で行ってもよい。
【実施形態２】
【００１６】
図５および図６に積載台に柵を有する実施形態を示す。同図に示す荷物積載用傾斜面昇降台車 (B)は、スタッド状ワイヤロープ端部掛け止め用金具 (５)に加え、さらに、積載台(３)の前縁に固定された前柵(１８)、積載台の左右両縁および後縁それぞれに着脱自在に取付けられた左右側柵(１９)および後柵(２０)を備えている。左右側柵(１９)および後柵(２０)を積載台(３)に着脱自在に取付けるため、積載台(３)の外縁に柵の各脚(２１)を落とし嵌める平面視Ｕ形の受け金具(２２)が基端両側に設けられた耳部(２３)により鋲止めされて固定されている。
各柵には、金網(２４)が張られている。
【００１７】
この実施形態は、積載台(３)に積みあげてワイヤロープ(１７)で固定するのに適した荷物にはワイヤロープ(１７)を用い、ワイヤロープ(１７)を用いるのに適しない荷物、例えば形態の様様なものあるいは小さなものを積載台(３)から落ちないように積む場合は、積載台(３)に左右側柵(１９)および後柵(２０)を取付けて用いられる。積載台(３)の前縁に固定された前柵(１８) は、後者の場合に必要になるが、前者の場合には存在していてもロープ掛けの邪魔にはならない。左右側柵(１９)および後柵(２０)は、積載台(３)に荷物を積み下ろしするさい、これらの任意のものが外され、その後元に戻される。
【図面の簡単な説明】
【００１８】
【図１】本考案の実施形態１を示すもので、平地において、積載台に荷物を積みあげ、これをワイヤロープにより固定した荷物積載用傾斜面昇降台車の側面図である。
【図２】図１のII−II線にそう背面図である。
【図３】実施形態１において、ともに水平状態の車体および積載台の平面図である。
【図４】傾斜面にありかつ荷物を積載した荷物積載用傾斜面昇降台車の側面図である。
【図５】本考案の実施形態２を示すもので、傾斜面にある荷物積載用傾斜面昇降台車の側面図である。
【図６】図５の荷物積載用傾斜面昇降台車の積載台の外縁にある受け金具に柵の脚を落とし嵌めた状態を示すもので、（a）は要部の拡大部分側面図、（b）は図６（a）のb−b線にそう断面図である。
【符号の説明】
【００１９】
（１）  傾斜面
（２）  車体
（３）  積載台
（４）  流体圧シリンダー（揺動装置）    
（５）  スタッド状ワイヤロープ端部掛け止め用金具 
（１７）  ワイヤロープ
（１８）  前柵
（１９）  左右側柵
（２０）  後柵
（２１）  柵の脚
（２２）  受け金具
(２３)    受け金具の耳部
（Ａ）（Ｂ）荷物積載用傾斜面昇降台車
【図１】
0003136897.tif 000003
【図２】
0003136897.tif 000004
【図３】
0003136897.tif 000005
【図４】
0003136897.tif 000006
【図５】
0003136897.tif 000007
【図６】
0003136897.tif 000008